(57)【特許請求の範囲】
【請求項１】
複数の通話端末それぞれと接続された複数のゲートウェイ装置を有する監視システムにおいて、
前記複数の通話端末のうち、通話の発着信を行った第１の通話端末と接続された第１のゲートウェイは、
前記第１の通話端末が通話を開始した際、該通話が開始された旨を示す情報と、該通話の相手の電話番号とを含む発着信情報を前記複数のゲートウェイ装置のうちの前記第１のゲートウェイ以外の第２のゲートウェイへ送信し、前記第１の通話端末が通話を切断した際、該通話が切断された旨を示す情報と、該通話の相手の電話番号とを含む発着信情報を前記第２のゲートウェイへ送信する第１の通信部を有し、
前記第２のゲートウェイは、
前記第１のゲートウェイから送信されてきた発着信情報を受信する第２の通信部と、
前記第２の通信部が受信した発着信情報を、当該第２のゲートウェイと接続された装置に表示させる表示部とを有する監視システム。
【請求項２】
請求項１に記載の監視システムにおいて、
前記第１のゲートウェイは、
監視電話番号をあらかじめ記憶する記憶部を有し、
前記第１の通信部は、前記通話の相手の電話番号と前記記憶部に記憶されている前記監視電話番号とに基づいて、前記発着信情報を前記第２のゲートウェイへ送信することを特徴とする監視システム。
【請求項３】
請求項２に記載の監視システムにおいて、
前記記憶部は、発信と着信とのどちらかを示す監視種別を記憶し、
前記第１の通信部は、前記通話が発信であるかまたは着信であるかと、前記記憶部に記憶されている前記監視種別とに基づいて、前記発着信情報を前記第２のゲートウェイへ送信することを特徴とする監視システム。
【請求項４】
請求項１乃至３のいずれか１項に記載の監視システムにおいて、
前記通話端末は、ＶｏＩＰ端末であることを特徴とする監視システム。
【請求項５】
請求項１乃至４のいずれか１項に記載の監視システムにおいて、
前記第１のゲートウェイおよび前記第２のゲートウェイは、ホームゲートウェイであることを特徴とする監視システム。
【請求項６】
通話端末と接続されたホームゲートウェイであって、
前記通話端末が通話を開始した際、該通話が開始された旨を示す情報と、該通話の相手の電話番号とを含む発着信情報を当該ゲートウェイ以外の他のゲートウェイへ送信し、前記通話端末が通話を切断した際、該通話が切断された旨を示す情報と、該通話の相手の電話番号とを含む発着信情報を前記他のゲートウェイへ送信する通信部を有するホームゲートウェイ。
【請求項７】
複数の通話端末それぞれと接続された複数のゲートウェイ装置を有する監視システムにおける監視方法であって、
前記複数の通話端末のうち、通話の発着信を行った第１の通話端末と接続された第１のゲートウェイが、該第１の通話端末が通話を開始した際、該通話が開始された旨を示す情報と、該通話の相手の電話番号とを含む発着信情報を前記複数のゲートウェイ装置のうちの前記第１のゲートウェイ以外の第２のゲートウェイへ送信する処理と、
前記第１のゲートウェイが、前記第１の通話端末が通話を切断した際、該通話が切断された旨を示す情報と、該通話の相手の電話番号とを含む発着信情報を前記第２のゲートウェイへ送信する処理と、
前記第２のゲートウェイが、前記第１のゲートウェイから送信されてきた発着信情報を、当該第２のゲートウェイと接続された装置に表示させる処理とを行う監視方法。
【発明の詳細な説明】
【技術分野】
【０００１】
本発明は、通話を監視する監視システム、ホームゲートウェイおよび監視方法に関する。
【背景技術】
【０００２】
近年、宅内における状況を監視するシステムが考えられている（例えば、特許文献１参照。）。
【０００３】
このようなシステムにおいては、宅内に存在する装置（ドアホン、照明器具、カメラ等）を用いて宅内の監視を行い、外部の専用サーバ等へ監視情報等を送信し、専用サーバ等でその監視情報等を格納する。
【０００４】
一方、一般家庭でのインターネット利用やＶｏＩＰ（Ｖｏｉｃｅ  ｏｖｅｒ  ＩＰ）を用いた電話サービスが普及し、広く利用されている。これらのサービスを利用するためには、ホームゲートウェイ（ＨＧＷ）が必要であり、サービスの普及に伴い、ＨＧＷも広く利用されている。ＶｏＩＰの電話サービス（以下、ＶｏＩＰ電話と称する）は、ＨＧＷの配下にＶｏＩＰ電話端末を接続することで使用可能となる。
【０００５】
このように、家庭においてＶｏＩＰ電話を利用するためには、ＨＧＷは世帯毎に必要であり、１つの家庭内であっても複数のＨＧＷが必要となる場合がある。さらに、例えば、子供が進学・就職のため親元を離れて生活する場合、親子間でＶｏＩＰ電話を利用するためには、もう１台のＨＧＷが必要である。ＨＧＷは、より身近な装置となり、誰でも容易に使用できる環境が整っている。
【先行技術文献】
【特許文献】
【０００６】
【特許文献１】特開２００２−２３４４３６号公報
【発明の概要】
【発明が解決しようとする課題】
【０００７】
上述したような監視を行うシステムにおいては、当該システムを構築するために、専用の装置や外部専用サーバを設けなければならないという問題点がある。
【０００８】
また、このようなシステムを利用しても、一人暮らしをしている子供が、ＶｏＩＰ電話をどのように運用しているのかを親が把握できないという問題点がある。例えば、子供のＶｏＩＰ電話の発信先や、電話勧誘等によるＶｏＩＰ電話の着信などは、子供自身は把握できるが、親がリアルタイムで把握することができない。
【０００９】
本発明の目的は、上述した課題を解決する監視システム、ホームゲートウェイおよび監視方法を提供することである。
【課題を解決するための手段】
【００１０】
本発明の監視システムは、
複数の通話端末それぞれと接続された複数のゲートウェイ装置を有する監視システムにであって、
前記複数の通話端末のうち、通話の発着信を行った第１の通話端末と接続された第１のゲートウェイは、
前記第１の通話端末が通話を開始した際、該通話が開始された旨を示す情報と、該通話の相手の電話番号とを含む発着信情報を前記複数のゲートウェイ装置のうちの前記第１のゲートウェイ以外の第２のゲートウェイへ送信し、前記第１の通話端末が通話を切断した際、該通話が切断された旨を示す情報と、該通話の相手の電話番号とを含む発着信情報を前記第２のゲートウェイへ送信する第１の通信部を有し、
前記第２のゲートウェイは、
前記第１のゲートウェイから送信されてきた発着信情報を受信する第２の通信部と、
前記第２の通信部が受信した発着信情報を、当該第２のゲートウェイと接続された装置に表示させる表示部とを有する。
【００１１】
また、本発明のホームゲートウェイは、
通話端末と接続されたホームゲートウェイであって、
前記通話端末が通話を開始した際、該通話が開始された旨を示す情報と、該通話の相手の電話番号とを含む発着信情報を当該ゲートウェイ以外の他のゲートウェイへ送信し、前記通話端末が通話を切断した際、該通話が切断された旨を示す情報と、該通話の相手の電話番号とを含む発着信情報を前記他のゲートウェイへ送信する通信部を有する。
【００１２】
また、通話端末と接続されたホームゲートウェイであって、
当該ゲートウェイ以外のゲートウェイから送信されてきた、通話を開始した旨を示す情報または通話を切断した旨を示す情報と電話番号とを含む発着信情報を受信する通信部と、
前記通信部が受信した発着信情報を、当該ゲートウェイと接続された装置に表示させる表示部とを有する。
【００１３】
また、本発明の監視方法は、
複数の通話端末それぞれと接続された複数のゲートウェイ装置を有する監視システムにおける監視方法であって、
前記複数の通話端末のうち、通話の発着信を行った第１の通話端末と接続された第１のゲートウェイが、該第１の通話端末が通話を開始した際、該通話が開始された旨を示す情報と、該通話の相手の電話番号とを含む発着信情報を前記複数のゲートウェイ装置のうちの前記第１のゲートウェイ以外の第２のゲートウェイへ送信する処理と、
前記第１のゲートウェイが、前記第１の通話端末が通話を切断した際、該通話が切断された旨を示す情報と、該通話の相手の電話番号とを含む発着信情報を前記第２のゲートウェイへ送信する処理と、
前記第２のゲートウェイが、前記第１のゲートウェイから送信されてきた発着信情報を、当該第２のゲートウェイと接続された装置に表示させる処理とを行う。
【発明の効果】
【００１４】
以上説明したように、本発明においては、通話状況をリアルタイムに容易に監視することができる。
【図面の簡単な説明】
【００１５】
【図１】本発明の監視システムの一形態を示す図である。
【図２】図１に示した監視されるＨＧＷの内部構造の一例を示す図である。
【図３】図１に示した監視するＨＧＷの内部構造の一例を示す図である。
【図４】図１に示した監視システムにおける監視方法を説明するためのシーケンス図である。
【図５】図１に示した監視されるＨＧＷの内部構造の他の例を示す図である。
【図６】図５に示した記憶部に記憶されている監視種別を監視電話番号との一例を示す図である。
【図７】図１に示した監視システムにおいて、ＨＧＷの内部構造が図５に示したものである場合の図４に示したシーケンス図におけるステップＳ３〜Ｓ４の処理の詳細を説明するためのフローチャートである。
【発明を実施するための形態】
【００１６】
以下に、本発明の実施の形態について図面を参照して説明する。
【００１７】
図１は、本発明の監視システムの一形態を示す図である。
【００１８】
本形態は図１に示すように、家屋１内に設置されたＨＧＷ１００と、ＶｏＩＰ端末１１０と、家屋２内に設置されたＨＧＷ２００と、ＶｏＩＰ端末２１０と、パソコン２２０と、ネットワーク３と、電話端末４とから構成されている。
【００１９】
ＨＧＷ１００は、ＶｏＩＰ端末１１０をネットワーク３へ接続するためのホームゲートウェイである。なお、ＨＧＷ１００は、本形態において、第１のゲートウェイとして機能する。
【００２０】
ＶｏＩＰ端末１１０は、ＶｏＩＰ（Ｖｏｉｃｅ  ｏｖｅｒ  ＩＰ）のプロトコルを用いて通話を行う通話（電話）端末である。なお、本形態において、ＶｏＩＰ端末１１０は、監視される第１の通話端末として機能する。
【００２１】
ＨＧＷ２００は、ＶｏＩＰ端末２１０をネットワーク３へ接続するためのホームゲートウェイである。なお、ＨＧＷ２００は、本形態において、第２のゲートウェイとして機能する。
【００２２】
ＶｏＩＰ端末２１０は、ＶｏＩＰのプロトコルを用いて通話を行う通話（電話）端末である。なお、本形態において、ＶｏＩＰ端末２１０は、ＶｏＩＰ端末１１０を監視する第２の通話端末として機能する。
【００２３】
パソコン２２０は、情報を表示する表示装置である。
【００２４】
ネットワーク３は、ＨＧＷ１００，２００および電話端末４を互いに接続する通信ネットワークである。ここでは、ネットワーク３は、ＩＰネットワークである。
【００２５】
電話端末４は、ＶｏＩＰ端末１１０，２１０と通話可能な通話端末である。なお、本形態において、電話端末４は、ＶｏＩＰ端末１１０の通話の相手である。
【００２６】
なお、図１に示した形態においては、家屋、ＨＧＷおよびＶｏＩＰ端末がそれぞれ２つずつである場合を例に挙げて示しているが、３つ以上の複数のものであっても良い。また、ＶｏＩＰ端末１１０がＶｏＩＰ端末２１０を監視する第２の通話端末となり、ＶｏＩＰ端末２１０が監視される第１の通話端末となる形態であっても良い。また、ＨＧＷ１００が第２のゲートウェイとなり、ＨＧＷ２００が第１のゲートウェイとなる形態であっても良い。また、ＨＧＷ１００，２００の双方が、第１のゲートウェイの機能と第２のゲートウェイの機能との双方を具備する形態であっても良い。
【００２７】
図２は、図１に示したＨＧＷ１００の内部構造の一例を示す図である。
【００２８】
図１に示したＨＧＷ１００には図２に示すように、ＶｏＩＰ機能部１０１と、通信部１０２とが設けられている。
【００２９】
ＶｏＩＰ機能部１０１は、ＶｏＩＰ端末１１０がＶｏＩＰ通話を実施するための機能を有する。
【００３０】
通信部１０２は、ＶｏＩＰ端末１１０が通話を開始した際、ＶｏＩＰ機能部１０１から通話の相手の電話番号を取得し、通話が開始された旨を示す情報と取得した電話番号とを含む発着信情報をネットワーク３を介してＨＧＷ２００へ送信する第１の通信部である。また、通信部１０２は、ＶｏＩＰ端末１１０が通話を切断した際、ＶｏＩＰ機能部１０１から通話の相手の電話番号を取得し、通話が切断された旨を示す情報と取得した電話番号とを含む発着信情報をネットワーク３を介してＨＧＷ２００へ送信する。
【００３１】
図３は、図１に示したＨＧＷ２００の内部構造の一例を示す図である。
【００３２】
図１に示したＨＧＷ２００には図３に示すように、ＶｏＩＰ機能部２０１と、通信部２０２と、表示部２０３とが設けられている。
【００３３】
ＶｏＩＰ機能部２０１は、ＶｏＩＰ端末２１０がＶｏＩＰ通話を実施するための機能を有する。
【００３４】
通信部２０２は、ＨＧＷ１００から送信されてきた発着信情報を受信する第２の通信部である。
【００３５】
表示部２０３は、通信部２０２が受信した発着信情報を、ＨＧＷ２００と接続された装置であるパソコン２２０に表示させる。
【００３６】
以下に、図１に示した監視システムにおける監視方法について説明する。
【００３７】
図４は、図１に示した監視システムにおける監視方法を説明するためのシーケンス図である。上述したように、ＶｏＩＰ端末１１０が監視される第１の通話端末であり、ＶｏＩＰ端末２１０がＶｏＩＰ端末１１０を監視する第２の通話端末である場合を例に挙げて説明する。
【００３８】
まず、ＶｏＩＰ端末１１０から電話端末４への発信が行われると、ＨＧＷ１００のＶｏＩＰ機能部１０１からネットワーク３を介して電話端末４へ、ＳＩＰ（Ｓｅｓｓｉｏｎ  Ｉｎｉｔｉａｔｉｏｎ  Ｐｒｏｔｏｃｏｌ）のプロトコルに規定されている「ＩＮＶＩＴＥ」が送信される（ステップＳ１）。
【００３９】
その後、電話端末４の利用者が電話に出ると、ＳＩＰのプロトコルに規定されている「２００  ＯＫ」が電話端末４からＨＧＷ１００へ送信される（ステップＳ２）。この「２００  ＯＫ」がＨＧＷ１００のＶｏＩＰ機能部１０１にて受信されると、ＶｏＩＰ端末１１０と電話端末４との間で通話が確立（開始）される。
【００４０】
すると、通信部１０２にて、通話が開始された旨を示す情報と、発信先（通話の相手）となる電話端末４の電話番号とが、ＶｏＩＰ機能部１０１から取得される（ステップＳ３）。
【００４１】
続いて、通話が開始された旨を示す情報と電話端末４の電話番号とが含まれる発着信情報が、通信部１０２からネットワーク３を介してＨＧＷ２００へ、ＳＩＰのプロトコルに規定されている「ＭＥＳＳＡＧＥ」に含まれて送信される（ステップＳ４）。
【００４２】
ＨＧＷ１００から送信された発着信情報を含む「ＭＥＳＳＡＧＥ」がＨＧＷ２００の通信部２０２にて受信されると、当該発着信情報が表示部２０３によってパソコン２２０に表示される（ステップＳ５）。このとき、表示部２０３とパソコン２２０とは連動して動作する。また、パソコン２２０における表示方法は、パソコン２２０のブラウザやパソコン２２０にインストールされた専用アプリケーション等で行うもので良い。また、発着信情報がパソコン２２０に表示されるとき、通話が開始された旨と電話番号とが、パソコン２２０を操作している者が認識可能に表示される。
【００４３】
すると、ＨＧＷ２００の通信部２０２からＨＧＷ１００へ、「２００  ＯＫ」が送信される（ステップＳ６）。
【００４４】
その後、ＶｏＩＰ端末１１０と電話端末４との間で通話が切断される場合、ＨＧＷ１００のＶｏＩＰ機能部１０１からネットワーク３を介して電話端末４へ、ＳＩＰのプロトコルに規定されている「ＢＹＥ」が送信される（ステップＳ７）。
【００４５】
それに応答して、「２００  ＯＫ」が電話端末４からＨＧＷ１００へ送信される（ステップＳ８）と、ＶｏＩＰ端末１１０と電話端末４との間の通話が切断される。
【００４６】
すると、通信部１０２にて、通話が切断された旨を示す情報と、通話していた相手である電話端末４の電話番号とが、ＶｏＩＰ機能部１０１から取得される（ステップＳ９）。
【００４７】
続いて、通話が切断された旨を示す情報と電話端末４の電話番号とが含まれる発着信情報が、通信部１０２からネットワーク３を介してＨＧＷ２００へ、ＳＩＰのプロトコルに規定されている「ＭＥＳＳＡＧＥ」に含まれて送信される（ステップＳ１０）。
【００４８】
ＨＧＷ１００から送信された発着信情報を含む「ＭＥＳＳＡＧＥ」がＨＧＷ２００の通信部２０２にて受信されると、当該発着信情報が表示部２０３によってパソコン２２０に表示される（ステップＳ１１）。このとき、表示部２０３とパソコン２２０とは連動して動作する。また、パソコン２２０における表示方法は、パソコン２２０のブラウザやパソコン２２０にインストールされた専用アプリケーション等で行うもので良い。また、発着信情報がパソコン２２０に表示されるとき、通話が切断された旨と電話番号とが、パソコン２２０を操作している者が認識可能に表示される。
【００４９】
すると、ＨＧＷ２００の通信部２０２からＨＧＷ１００へ、「２００  ＯＫ」が送信される（ステップＳ１２）。
【００５０】
なお、電話端末４からＶｏＩＰ端末１１０へ着信があり、電話端末４とＶｏＩＰ端末１１０との間で通話が行われたときも、上述した処理と同様の処理が行われる。
【００５１】
また、ＨＧＷ２００にディスプレイが具備されている場合、当該ディスプレイに発着信情報を表示するものであっても良い。
【００５２】
このように、本発明においては、以下の効果を奏する。
【００５３】
第１の効果は、別宅の通話状況を、発着信が行われたタイミングで監視できることである。
【００５４】
その理由は、本発明は、ＨＧＷに通話状況を取得する機能と、取得した情報を送受信する機能と、取得した情報を表示させる機能とを有しており、ＨＧＷが持つＶｏＩＰ機能と連動して、発着信の開始および切断が行われたタイミングで発着信情報を送受信する機能を有しているからである。
【００５５】
第２の効果は、宅内に存在している既存のＨＧＷとＶｏＩＰ電話とをそのまま流用でき、専用の装置を用意したり、購入しなおしたりする必要がないことである。
【００５６】
その理由は、ＨＧＷに搭載されたファームウェアの機能拡張により、本発明を実現することが可能なためである。
【００５７】
また、通話の監視種別（発信と着信とのどちらかを示す情報）や通話の相手の電話番号に基づいて、所定の場合のみ通信部１０２が発着信情報を送信するものであっても良い。
【００５８】
図５は、図１に示したＨＧＷ１００の内部構造の他の例を示す図である。
【００５９】
図１に示したＨＧＷ１００には図５に示すように、ＶｏＩＰ機能部１０１と、通信部１０２と、記憶部１０３とが設けられている。
【００６０】
ＶｏＩＰ機能部１０１は、図２に示したものと同じものである。
【００６１】
通信部１０２は、基本的には図２に示したものと同様に、ＶｏＩＰ端末１１０が通話を開始または切断した際、ＶｏＩＰ機能部１０１から通話の相手の電話番号を取得し、発着信情報をＨＧＷ２００へ送信するものであるが、記憶部１０３に記憶されている監視種別と監視電話番号とに基づいて、発着信情報を送信するか否かを判定する。具体的には、ＶｏＩＰ端末１１０が通話を開始または切断した際、その通話の相手の電話番号が、記憶部１０３に記憶されている監視電話番号と一致した場合、発着信情報を送信すると判定する。また、ＶｏＩＰ端末１１０が通話を開始または切断した際、その通話の種別（「発信」か「着信」か）が、記憶部１０３に記憶されている監視種別と一致した場合、発着信情報を送信すると判定する。
【００６２】
また、通信部１０２は、発着信情報を送信すると判定した場合、当該発着信情報をＨＧＷ２００へ送信する。
【００６３】
記憶部１０３は、監視種別と監視電話番号とを、通信部１０２が発着信情報を送信する条件としてあらかじめ記憶する。
【００６４】
図６は、図５に示した記憶部１０３に記憶されている監視種別を監視電話番号との一例を示す図である。
【００６５】
図５に示した記憶部１０３には図６に示すように、監視種別と監視電話番号とが設定ファイルとして記憶されている。
【００６６】
監視種別は、ＶｏＩＰ端末１１０が通話を行うとき、その通話がＶｏＩＰ端末１１０からの発信によるものか、ＶｏＩＰ端末１１０への着信によるものかを示す情報である。
【００６７】
監視電話番号は、監視対象となる電話番号である。
【００６８】
例えば、ＶｏＩＰ端末１１０が通話を開始した際、その通話がＶｏＩＰ端末１１０からの「発信」によるものであり、通話の相手の電話番号が「１１−１１１１−１１１１」である場合、これらが記憶部１０３に記憶されているため、通信部１０２は発着信情報をＨＧＷ２００へ送信する。また、ＶｏＩＰ端末１１０が通話を開始した際、その通話がＶｏＩＰ端末１１０への「着信」によるものであり、通話の相手の電話番号が「２２−２２２２−２２２２」である場合、これらが記憶部１０３に記憶されているため、通信部１０２は発着信情報をＨＧＷ２００へ送信する。
【００６９】
図７は、図１に示した監視システムにおいて、ＨＧＷ１００の内部構造が図５に示したものである場合の図４に示したシーケンス図におけるステップＳ３〜Ｓ４の処理の詳細を説明するためのフローチャートである。
【００７０】
ステップＳ３にて発着信情報が取得されると、記憶部１０３に記憶されている設定ファイルが通信部１０２によって参照され（ステップＳ３１）、その通話の種別と、記憶部１０３に記憶されている監視種別とが一致するかどうかが、通信部１０２によって判定される（ステップＳ３２）。
【００７１】
通話の種別と、記憶部１０３に記憶されている監視種別とが一致する場合、その通話の相手の電話番号と、記憶部１０３に記憶されている監視電話番号とが一致するかどうかが、通信部１０２によって判定される（ステップＳ３３）。
【００７２】
通話の相手の電話番号と、記憶部１０３に記憶されている監視電話番号とが一致する場合、ステップＳ４にて「ＭＥＳＳＡＧＥ」が通信部１０２からＨＧＷ２００へ送信される。
【００７３】
また、ステップＳ３２にて、通話の種別と、記憶部１０３に記憶されている監視種別とが一致しない場合、および、ステップＳ３３にて、通話の相手の電話番号と、記憶部１０３に記憶されている監視電話番号とが一致しない場合は、「ＭＥＳＳＡＧＥ」は送信されずに処理は終了する。
【００７４】
なお、ステップＳ３３の「Ｙｅｓ」と「Ｎｏ」との分岐を逆にしたものであっても良い。つまり、通話の相手の電話番号と、記憶部１０３に記憶されている監視電話番号とが一致しない場合に、「ＭＥＳＳＡＧＥ」を送信するものであっても良い。
【００７５】
このように、あらかじめ設定された監視種別と監視電話番号とに基づいて、特定の通話のみ監視することが可能である。例えば、信用できる電話番号は監視対象外とし、普段利用しない電話番号を信用できない電話番号として監視対象とすることにより、監視対象を絞り込むことができるため、的確に監視することが可能となる。
【００７６】
本発明によれば、特定世帯のＶｏＩＰ電話による通話を監視するといった用途に適用できる。また、監視対象を変更することにより、ＶｏＩＰ電話の通話だけではなく、その他の事象に対する監視についても適用可能である。
【符号の説明】
【００７７】
１，２    家屋
３    ネットワーク
４    電話端末
１００，２００    ＨＧＷ
１０１，２０１    ＶｏＩＰ機能部
１０２，２０２    通信部
１０３    記憶部
１１０，２１０    ＶｏＩＰ端末
２０３    表示部
２２０    パソコン
【図１】
0005717192.tif 000002
【図２】
0005717192.tif 000003
【図３】
0005717192.tif 000004
【図４】
0005717192.tif 000005
【図５】
0005717192.tif 000006
【図６】
0005717192.tif 000007
【図７】
0005717192.tif 000008